(57)【要約】      （修正有）【課題】一辺長さが６００ｍｍ〜９００ｍｍ程度の四角形などとなされた平面視形状を有する集水枡ｄ１の内方に２台の水中ポンプや排水用配管系統を手間少なく設置でき且つ、的確な作動の得られるものとなすことができ且つ、故障を簡便に修理することができる。【解決手段】ベース脚部５を介し設置面上に保持されるベースプレート１に支柱部材２を固設し、支柱部材２を基準とした逆対称配置となる２箇所に透孔を形成し、これら透孔に水中ポンプ３Ａ、３Ｂの下部を上方から挿通させ起立状に係止させる。各水中ポンプ３Ａ、３Ｂについて、その水吐出口３ｂから吐出された水が通過する上流側吐出管６を設け、これら各上流側吐出管６の第１水平部６Ｂにユニオン継手８を設け、該ユニオン継手８よりも下流側をなす吐出管６、１２、１５の任意箇所を前記支柱部材２に固定させた構成をする。【選択図】図１
2008231724.tif 000002
【特許請求の範囲】
【請求項１】
ベース脚部を介し設置面上に水平状に支持されるベースプレートの平面視略中央箇所に直状の支柱部材を固設すると共に、前記ベースプレートの水平面上で前記支柱部材を基準とした逆対称配置となる２箇所にポンプ保持用透孔を形成し、これらポンプ保持用透孔のそれぞれに水中ポンプの下部が上方から挿通されることにより該水中ポンプが前記ベースプレートに起立姿勢に安定的に支持された状態となり、また各水中ポンプの水吐出口から吐出された水がそれぞれ独立に通過する第１起立部及び第１水平部を上流側からこの順に形成されてなる上流側吐出管を設けると共に、これら各上流側吐出管の前記第１水平部の長さ方向任意位置にユニオン継手を設け、該ユニオン継手よりも下流側をなす吐出管系統の任意箇所を前記支柱部材に固定させた構成を特徴とする水中ポンプユニット。
【請求項２】
前記した各上流側吐出管の前記第１起立部の長さ方向任意位置に逆止弁を設けると共に、前記各上流側吐出管の前記ユニオン継手の下流側にスリース弁を設けたことを特徴とする請求項１記載の水中ポンプユニット。
【請求項３】
前記上流側吐出管のそれぞれから下流側へ延長され長さ途中に第２起立部及び第２水平部を上流側からこの順に形成されてなる下流側吐出管を備え、且つ、前記水中ポンプのそれぞれに対応した前記上流側吐出管及び前記下流側吐出管からなる２つの管系統が前記支柱部材を基準として逆対称状に形成され、且つ、前記各水中ポンプに対応した２つの前記下流側吐出管をＴ字形の継手管からなる合流吐出管で直線状に結合され、このさい前記継手管の１つの接続口が合流水吐出口部となされて前記支柱部材の略真上に位置されていることを特徴とする請求項１又は２記載の水中ポンプユニット。
【請求項４】
前記水中ポンプのそれぞれに対応した前記第１水平部及び第２起立部及び第２水平部が側方視で横向きＵ字形に配列されていることを特徴とする請求項１、２又は３記載の水中ポンプユニット。
【請求項５】
前記水中ポンプのそれぞれは上面に把手部を具備すると共に該把手部の真上及びその近傍に他部材が存在しない形態となされていることを特徴とする請求項１、２、３又は４記載の水中ポンプユニット。
【請求項６】
前記スリース弁は水出入口をなす接続口に雌ネジを形成されたものとなされおり、且つ、前記雌ネジと、前記接続口と連通される吐出管部材の受け口とが樹脂材からなる一様径の直状結合管を介して結合されており、前記直状結合管は外周面の一端部に前記接続口の雌ネジに螺合される雄ネジを形成され且つ外周面の他端部を前記受け口に内挿され接着剤で結合されることを特徴とする請求項２、３、４又は５記載の水中ポンプユニット。
【請求項７】
下面外周部の適当に離れた複数箇所から下方へ突出状に設けられたベース脚部を具備し該ベース脚部で水平設置面上に水平状に定置されるベースプレートを備え、該ベースプレートの平面視略中央箇所に直状の支柱部材を起立状に固設すると共に該支柱部材は下部をベースプレートの下面側から前記ベース脚部と同一長さだけ下方へ突出されており、また前記ベースプレートの上面で前記支柱部材を基準とした逆対称配置となる２箇所のそれぞれにポンプ保持用透孔を形成しており、前記ポンプ保持用透孔に水中ポンプの下部が上方から挿通されたとき、該水中ポンプが水平方向の移動を規制され且つベースプレートの上面で支持され起立姿勢を安定的に保持されることを特徴とする水中ポンプユニットに使用される基礎台。
【請求項８】
前記ベース脚部の下端箇所及び前記支柱部材の下端箇所をゴム質材で覆ってなることを特徴とする請求項７記載の水中ポンプユニットに使用される基礎台。
【発明の詳細な説明】
【技術分野】
【０００１】
本発明は、地下などの低所に溜まった水を排水するさいに使用されるもので、特に、集水枡内に溜まった雨水や汚水を他所へ排出するさいに有益である水中ポンプユニット、及び、これに使用される基礎台に関する。
【背景技術】
【０００２】
一般に、地下には集水枡が設けられており、該集水枡内に溜まった水を地上に排水する必要に応じるため、該集水枡内に水中ポンプを設置すると共に適当な排水用管系統を形成することが行われている。このような排水設備では、集水枡内へ２台の水中ポンプを設置し、該集水枡内への集水の速度が１台の水中ポンプによる排水能力を超えるような場合や、一方の水中ポンプが故障したような場合に、他方の水中ポンプを作動させて排水することが行われている。
【０００３】
一般に市販されている集水枡の内方空間は例えば平面視において一辺長さが６００ｍｍ〜９００ｍｍ程度の四角形などとなされているものが多いのであり、この程度の大きさの集水枡内に２台の水中ポンプを設置しさらに排水用配管系統を形成するときは、次のような問題が生じるのであって、即ち、十分な作業スペースが確保できないために設置作業の手間が飛躍的に増大したり、機器の保守・点検・整備や故障の修理に手間がかかるほか、水中ポンプを発停させるためのフロートの作動空間が十分に確保できず水中ポンプの的確な作動が損なわれることがあり、さらには水中ポンプの振動による部材間摩擦により集水枡内の底面が傷んだり配管接続ネジ部品の緩みやこれに起因した漏水の生じることがある。
【０００４】
なお、技術水準を示す公知文献としては下記の特許文献１及び２などが存在している。    
【特許文献１】特開２００５−１２７１１９号公報
【特許文献２】特開平８−２３７９９号公報
【発明の開示】
【発明が解決しようとする課題】
【０００５】
本発明は、平面視において一辺長さが６００ｍｍ〜９００ｍｍ程度の四角形などとなされた集水枡などの内方であっても、２台の水中ポンプや排水用配管系統などを備えた排水設備を手間少なく設置することができ且つ、フロートなどの作動空間が十分に確保されて的確な作動の得られるものとなすことができ且つ、保守点検整備や故障の修理を簡便に実施できるものとした水中ポンプユニットを提供するほか、該水中ポンプユニットの実現に寄与する上にさらに集水枡の底面が損傷するのを防止でき且つ配管接続ネジ部品の緩みやこれに起因した漏水を防止することのできる、水中ポンプユニットに使用される基礎台を提供することを目的とするものである。
【課題を解決するための手段】
【０００６】
上記目的を達成するため、本願の第１発明に係る水中ポンプユニットは、請求項１に記載したように、ベース脚部を介し設置面上に水平状に支持されるベースプレートの平面視略中央箇所に直状の支柱部材を固設すると共に、前記ベースプレートの水平面上で前記支柱部材を基準とした逆対称配置となる２箇所にポンプ保持用透孔を形成し、これらポンプ保持用透孔のそれぞれに水中ポンプの下部が上方から挿通されることにより該水中ポンプが前記ベースプレートに起立姿勢に安定的に支持された状態となり、また各水中ポンプの水吐出口から吐出された水がそれぞれ独立に通過する第１起立部及び第１水平部を上流側からこの順に形成されてなる上流側吐出管を設けると共に、これら各上流側吐出管の前記第１水平部の長さ方向任意位置にユニオン継手を設け、該ユニオン継手よりも下流側をなす吐出管系統の任意箇所を前記支柱部材に固定させた構成を特徴とするものである。
【０００７】
この発明は次のように具体化することができる。
即ち、請求項２に記載したように、前記した各上流側吐出管の前記第１起立部の長さ方向任意位置に逆止弁を設けると共に、前記各上流側吐出管の前記ユニオン継手の下流側にスリース弁を設けた構成とする。
【０００８】
また請求項３に記載したように、前記上流側吐出管のそれぞれから下流側へ延長され長さ途中に第２起立部及び第２水平部を上流側からこの順に形成されてなる下流側吐出管を備え、且つ、前記水中ポンプのそれぞれに対応した前記上流側吐出管及び前記下流側吐出管からなる２つの管系統が前記支柱部材を基準として逆対称状に形成され、且つ、前記各水中ポンプに対応した２つの前記下流側吐出管をＴ字形の継手管からなる合流吐出管で直線状に結合され、このさい前記継手管の１つの接続口が合流水吐出口部となされて前記支柱部材の略真上に位置されている構成とする。
【０００９】
また請求項４に記載したように、前記水中ポンプのそれぞれに対応した前記第１水平部及び第２起立部及び第２水平部が側方視で横向きＵ字形に配列されている構成とする。
【００１０】
また請求項５に記載したように、前記水中ポンプのそれぞれは上面に把手部を具備すると共に該把手部の真上及びその近傍に他部材が存在しない形態となされている構成とする。
【００１１】
また請求項６に記載したように、前記スリース弁は水出入口をなす接続口に雌ネジを形成されたものとなされおり、且つ、前記雌ネジと、前記接続口と連通される吐出管部材の受け口とが樹脂材からなる一様径の直状結合管を介して結合されており、前記直状結合管は外周面の一端部に前記接続口の雌ネジに螺合される雄ネジを形成され且つ外周面の他端部を前記受け口に内挿され接着剤で結合される構成とする。
【００１２】
次に本願の第２発明に係る水中ポンプユニットに使用される基礎台は、請求項７に記載したように、下面外周部の適当に離れた複数箇所から下方へ突出状に設けられたベース脚部を具備し該ベース脚部で水平設置面上に水平状に定置されるベースプレートを備え、該ベースプレートの平面視略中央箇所に直状の支柱部材を起立状に固設すると共に該支柱部材は下部をベースプレートの下面側から前記ベース脚部と同一長さだけ下方へ突出されており、また前記ベースプレートの上面で前記支柱部材を基準とした逆対称配置となる２箇所のそれぞれにポンプ保持用透孔を形成しており、前記ポンプ保持用透孔に水中ポンプの下部が上方から挿通されたとき、該水中ポンプが水平方向の移動を規制され且つベースプレートの上面で支持され起立姿勢を安定的に保持されることを特徴とするものである。
【００１３】
この発明は次のように具体化するのがよいのであって、即ち、請求項８に記載したように、前記ベース脚部の下端箇所及び前記支柱部材の下端箇所をゴム質材で覆っている構成とする。
【発明の効果】
【００１４】
上記した本願発明の効果を各請求項の発明に分けて説明すると次のとおりである。
（１）請求項１〜６の何れか１つに記載の発明
ａ：平面視において一辺長さが６００ｍｍ〜９００ｍｍ程度の四角形などとなされた集水枡の内方などの比較的狭い空間内であっても、２台の水中ポンプ、逆止弁、ユニオン継手、スリース弁、フロート、電気スイッチ、排水用の管系統を備えた排水設備をコンパクトなユニットとして集水枡の底面などの設置面に手間少なく設置することを可能となるのであり、具体的には、工場などで予め組み立てた排水設備のユニットを現場の設置面に定置させユニットの吐出管系統を現場の排水系統に接続させるだけで排水設備の設置工事が終了するものとなる。
【００１５】
ｂ：平面視において一辺長さが６００ｍｍ〜９００ｍｍ程度の四角形となされた集水枡の内方に排水設備を形成したときにも、フロートなどの作動空間を十分に確保することができて水中ポンプが的確に作動するものとなる。
【００１６】
ｃ：第１起立部及び第１水平部を上流側からこの順に形成されてなる上流側吐出管を設けると共にこれら各上流側吐出管の第１水平部の長さ方向任意位置にユニオン継手を設け且つユニオン継手よりも下流側をなす吐出管系統の任意箇所を前記支柱部材に固定させた構成としてあるため、ユニオン継手による結合箇所をユニオン継手よりも下流側の管部材の脱落の生じない状態下で分離させることができると共に、該分離状態で作業者による引上げ力を水中ポンプと同体状箇所に付与することで水中ポンプ及びその同体状部品を真上に引き上げることが可能となるのであり、したがって排水設備が集水枡内に設置されていても水中ポンプ及びその同体状部品を簡便に集水枡の外方へ取り出すことができて、広い場所で保守・点検・整備や修理を行うことができる。
【００１７】
ｄ：水中ポンプ及びその同体状部品を引き上げたり引き降ろすさいには支柱部材が案内部材となり必要に応じて水中ポンプなどを支柱部材に当接させるなどによりその姿勢を制御することができると共にベースプレートが汚濁水で見えないときでも支柱部材がポンプ保持用透孔の存在位置を認識するさいの目安となり、水中ポンプ及びその同体状部品を手間取ることなくポンプ保持用透孔内に戻すことができる。
【００１８】
ｅ：ベースプレートの水平面上の２箇所にポンプ保持用透孔を形成し、これらポンプ保持用透孔のそれぞれに水中ポンプの下部が上方から挿通されることにより水中ポンプがベースプレートに起立姿勢に安定的に支持された状態となる構成であるため、水中ポンプの運転中の安定性が図られると共に水中ポンプの起動時の反動を効果的に規制するものとなる。
【００１９】
ｆ：ベースプレートの水平面上で支柱部材を基準とした逆対称配置となる２箇所にポンプ保持用透孔を形成したことから、排水設備の他の部品を対象配置構造となすことができて排水設備全体の重量バランスを良好になすと共に部品の共通化が図られるようになる。
【００２０】
ｇ：ユニオン継手よりも下流側をなす吐出管系統の任意箇所を支柱部材に固定させた構成としたことから、水中ポンプの起動時に発生しようとする反動による吐出管系統の振動を支柱部材が阻止することができるのであり、また水中ポンプをベースプレートにボルトなどを介して固定しないでもベースプレートに対する水中ポンプを固定状態に保持することができてユニット全体の剛性を向上させることができる。
【００２１】
（２）請求項２記載の発明
ａ：各上流側吐出管の第１起立部の長さ方向任意位置に逆止弁を設けたことから、２台の水中ポンプを交互運転するような場合に、作動中の水中ポンプの吐出口から送り出された水の正圧が非作動側の水中ポンプに対応する逆止弁を閉鎖させるようになり、したがって作動中の水中ポンプの吐出口から送り出された水が非作動側の水中ポンプを通じて作動中の水中ポンプの水吸引部に逆戻りするのを防止することができると共に、作動中の水中ポンプが水排出を終了して停止されたとき、各逆止弁が吐出管系統内の水の圧力で閉鎖されて吐出管系統内の水が各水中ポンプを通じて逆戻りするのを阻止することができる。
【００２２】
ｂ：各上流側吐出管のユニオン継手の下流側にスリース弁を設けたことから、ユニオン継手の結合箇所を分離させるときにスリース弁を閉鎖することにより、分離されたユニオン継手の結合箇所からスリース弁よりも下流側の吐出管系統内の水が漏れ出るのを防止することができると共にスリース弁の開放度合いを変化させることにより各水中ポンプから吐出管系統内に送り出される水の流量を任意に調整することができる。
【００２３】
ｃ：逆止弁やスリース弁は排水設備に必要なものであるが、これらをユニット構造の一部として組み込んであるため、現場での排水設備の設置工事を簡便となす上で効果的に寄与するものである。
【００２４】
（３）請求項３記載の発明
ａ：上流側吐出管のそれぞれから下流側へ延長され長さ途中に第２起立部及び第２水平部を上流側からこの順に形成されてなる下流側吐出管を備え、且つ、水中ポンプのそれぞれに対応した上流側吐出管及び下流側吐出管からなる２つの管系統が支柱部材を基準として逆対称状に形成される構成としたことから、水中ポンプのそれぞれに対応した上流側吐出管及び下流側吐出管からなる２つの管系統のそれぞれは同一の逆止弁、ユニオン継手、スリース弁、直状管、９０度エルボなどを使用することで形成されて構成部材の共用化が促進されると共にユニット構造全体の重量バランスが良好となる。
【００２５】
ｂ：各水中ポンプに対応した２つの下流側吐出管をＴ字形の継手管からなる合流吐出管で直線状に結合され、継手管の１つの接続口が合流水吐出口となされて支柱部材の略真上に位置されている構成としたことから、ユニット構造全体を支柱部材を基準として完全な逆対称状に形成されたものとなすことができ、特に重量バランスを良好となすことができる。
【００２６】
ｃ：各水中ポンプの真上及びその近傍に他部材の存在しない形態となすことができて各水中ポンプをベースプレートから抜き上げる上で便利なものとなすことができる。
【００２７】
（４）請求項４記載の発明
水中ポンプのそれぞれに対応した第１水平部及び第２起立部及び第２水平部が側方視で横向きＵ字形に配列されていることから、ユニオン継手やスリース弁を設ける場合にも、上流側吐出管及び下流側吐出管をコンパクトに配置することができて、ユニット構造全体のコンパクト化が図れるのである。
【００２８】
（５）請求項５記載の発明
各水中ポンプをベースプレートから抜き上げるさいに、把手部に吊りロープを掛け止めて引き上げたり降ろす作業が行い易いくなって、水中ポンプ及びその同体状部材の保守や修理などを容易に行うことができるものとなる。
【００２９】
（６）請求項６記載の発明
直状結合管を使用することでスリース弁の水出入口をなす接続口と、該接続口に連通される吐出管部材の受け口とをこれら両者が殆ど当接するほどに近接させた状態で結合することができ、第１水平部の全長を短くすることができてユニット構造全体のコンパクト化に寄与するものとなる。
【００３０】
（７）請求項７記載の発明
ａ：請求項１〜６の何れか１項に記載の発明に係る水中ポンプユニットを実現する上で寄与する。
【００３１】
ｂ：下面外周部の適当に離れた複数箇所から下方へ突出状に設けられたベース脚部を具備し該ベース脚部で水平設置面上に水平状に定置されるベースプレートを備えていることから、ベース脚部を支持した定置面上に溜まった水がベースプレートの下方へ流入することが可能となって、ポンプ保持用透孔に挿入された水中ポンプの水吸引面部に円滑に水が吸引されるものとなる。
【００３２】
ｃ：ベースプレートの平面視略中央箇所に直状の支柱部材を起立状に固設すると共に該支柱部材は下部をベースプレートの下面側からベース脚部と同一長さだけ下方へ突出された構成であることから、ベースプレートに２つのポンプ保持用透孔が形成され且つ該ポンプ保持用透孔のそれぞれに比較的重い水中ポンプが挿入されて該水中ポンプの重量がベースプレートに作用しても、ベースプレートは支柱部材の下部とベース脚部とで強固に支持されるものとなり、この結果、ベースプレートは補強部材の付加されていない単純な平板であってもその厚さを小さくして軽量となすことができるものである。
【００３３】
ｄ：各ポンプ保持用透孔に水中ポンプの下部が上方から挿通されたとき、該水中ポンプが水平方向の移動を規制され且つベースプレートの上面で支持され起立姿勢を安定的に保持される構成であることから、ユニオン継手の結合箇所が分離されても安定的に自立した状態となり、したがってユニオン継手の結合箇所が分離された状態の下で水中ポンプをベースプレートから取り外したり元位置に復帰させる処理が行い易くなるのである。
【００３４】
（８）請求項８記載の発明
ベース脚部の下端箇所及び支柱部材の下端箇所をゴム質材で覆った構成であることから、ベース脚部の下端箇所や支柱部材の下端箇所を支持した設置面（集水枡の底面など）が損傷するのをゴム質材が防止するものとなり、また水中ポンプの作動によるユニット構造各部の振動がゴム質材で減衰されるものとなって、配管接続ネジ部品の緩みやこれに起因した漏水が防止されるものとなる。
【発明を実施するための最良の形態】
【００３５】
以下、本発明に係る水中ポンプユニットの具体的な一実施形態について説明する。
図１は前記水中ポンプユニットの正面図、図２は前記水中ポンプユニットの側面図、図３は前記水中ポンプユニットの平面図、図４は前記水中ポンプユニットの底面図、図５は前記水中ポンプユニットで使用される直状結合管などを示す側面図である。
【００３６】
これらの図において、１は水平状に配置された金属板（例えばステンレス板）からなるベースプレートであり、２は該ベースプレート１の平面視略中央箇所に垂直状に固設された金属棒材（例えばステンレス管）からなる直状の支柱部材である。そしてベースプレート１上には２つの水中ポンプ３Ａ、３Ｂが載置されている。
【００３７】
各部の詳細を説明すると、ベースプレート１は、具体的には、平面視で四角形となされた単純な平面板であり、その平面視大きさは１辺長さが凡そ４００ｍｍ〜５００ｍｍ程度で、他の１辺長さが凡そ３００ｍｍ〜４００ｍｍ程度のものとなされており、またその水平面箇所には水中ポンプ３Ａ、３Ｂのそれぞれを嵌挿状且つ直立状に位置保持するために前記支柱部材２を基準とした逆対称配置となる２箇所に図４に示すようなポンプ保持用透孔４、４が形成されている。
【００３８】
前記２箇所に形成されたポンプ保持用透孔４のそれぞれは、本体主ケーシング下部挿入孔４ａ、水吐出口下部挿入孔４ｂ及び干渉回避孔４ｃとからなっている。このさい、本体主ケーシング下部挿入孔４ａは水中ポンプ３Ａ又は３Ｂの本体主ケーシング３ａの下部ａ１を挿通される断面形状を略円形となされた比較的大きい透孔箇所ｂ１と、本体主ケーシング３ａの下部ａ１に下方への突出状に設けられた２つのポンプ脚部ａ２、ａ２のそれぞれを単独に係入される２つの切欠箇所ｂ２、ｂ２とを具備しており、また水吐出口下部挿入孔４ｂは水中ポンプ３Ａ又は３Ｂの水吐出口３ｂの下部に下方への突出状に設けられた１つのポンプ脚部ａ３を挿通され平面視断面形状を欠円形となされた透孔箇所ｂ３と、水吐出口３ｂの下部に形成されたリブａ４の係入される切欠部ｂ４とを具備しており、また干渉回避孔４ｃは水中ポンプ３Ａ又は３Ｂの比較的小さな底面突起ａ５との干渉を回避するためのもので平面視断面形状を円形となされている。
【００３９】
ベースプレート１の下面外周部の四隅箇所のそれぞれにはベースプレート１を支持するためのベース脚部５が設けられている。該ベース脚部５のそれぞれは、ベースプレート１の下面から下方へ長さ凡そ３５ｍｍ〜４０ｍｍ程度突出させた金属棒部材５ａと、これの下部表面の全体（又は少なくとも下端面）を覆うように付着されたゴム質材５ｂとからなっている。
【００４０】
支柱部材２は、長さを凡そ５５０ｍｍ〜６５０ｍｍ程度となされ、且つ、下部２ａがベースプレート１に図示しない透孔を介して貫挿されベースプレート１の下側へ金属棒部材５ａと同じ長さだけ突出されて長さ途中をベースプレート１に溶着され、且つ、ベースプレート１よりも下側をなす部位が前記ベース脚部５と同様に、下部表面の全体（又は少なくとも下端面）を覆うようにゴム質材２ｂを付着されている。
【００４１】
２つの水中ポンプ３Ａ、３Ｂは何れも同一の大きさ及び形状となされており、それぞれの水中ポンプ３Ａ、３Ｂは、本体主ケーシング３ａの内方にモータを、そして本体主ケーシング３ａの下部に該モータで駆動されるポンプ部を備えたものとなされ、本体主ケーシング３ａ下部の高さ途中の外周部から横外方へ水吐出通路部３ｃを張り出されると共に、該水吐出通路部３ｃの先部に既述の水吐出口３ｂが上向きに形成されるほか、本体主ケーシング３ａの下部ａ１や水吐出通路部３ｃの先部下面に既述のポンプ脚部ａ２、ａ３が形成されており、また本体主ケーシング３ａの下面に多数の水吸引孔を有する水吸引面部３ｄを形成されると共に、本体主ケーシング３ａの上面に水中ポンプ３Ａ、３Ｂを持ち上げるための把手部３ｅを形成されたものとなされている。
【００４２】
このさい、水中ポンプ３Ａ、３Ｂの全高は凡そ３７０ｍｍ〜４００ｍｍ程度となされ、水吐出口３ｂの口径は凡そ４０ｍｍ〜５０ｍｍ程度となされ、水中ポンプ３Ａ、３Ｂの全重量は凡そ９ｋｇ〜１２ｋｇ程度となされる。
【００４３】
各水中ポンプ３Ａ、３Ｂは、その対応するポンプ保持用透孔４の真上から降下されて各部ａ１、ａ２、ａ３、ａ４、ａ５をポンプ保持用透孔４の本体主ケーシング下部挿入孔４ａ、水吐出口下部挿入孔４ｂ及び干渉回避孔４ｃ内に密状に嵌挿されるのであり、該嵌挿のさいの水中ポンプ３Ａ、３Ｂの降下は水吐出通路部３ｃの下面がベースプレート１の上面に当接するまで行われるのであり、これにより各水中ポンプ３Ａ、３Ｂはベースプレート１に係止された状態となり、該係止状態になった後はベースプレート１上面で安定的に支持され垂直状態に保持される。該係止状態では各水中ポンプ３Ａ、３Ｂの最下端箇所がベース脚部５の下端よりも僅かに上側に位置されるのであって、具体的には例えばベース脚部５の支持される設置面より数ｍｍ程度高くなされるのであり、また水吸引部面３ｄはベースプレート１の下側でしかもベース脚部５下端よりも上側に位置される。
【００４４】
各水中ポンプ３Ａ、３Ｂについてその水吐出口３ｂから吐出された水が第１起立部６Ａ及び第１水平部６Ｂをこの順に通過するものとなされた２つの上流側吐出管６、６が支柱部材２を基準とした逆対称配置となるように設けられている。
【００４５】
各第１起立部６Ａはこれの長さ方向任意位置に逆止弁７を装設されるのであり、また各第１水平部６Ｂはこれの長さ方向途中にユニオン継手８を装設されると共に該ユニオン継手８の下流側にスリース弁９を装設される。ここに、ユニオン継手８は、接続・分離の際に配管を回転させることなく継手自身を回転させるだけで管の接合または分離が可能な継手のことで、ユニオン継手用上流側管部８ｓとユニオン継手用下流側管部８ｂとを備え且つこれら管部８ａ、８ｂを袋ナット状のユニオンナット８ｃを介して結合するものである。
【００４６】
さらに詳細に説明すると、第１起立部６Ａは、塩化ビニール材からなる直状管６ａ、塩化ビニール材からなるケーシングを有する逆止弁７、及び、塩化ビニール材からなるユニオン継手用上流側管部８ａで形成されており、このさい直状管６ａは上流端を、その対応する水吐出口３ｂにネジ固定されたソケット６ｂに内嵌されて接着剤で接続され且つ下流端を逆止弁７の水入口部７ａに内嵌され接着剤で接続されており、また逆止弁７は内方にスイング弁体を設けられ、下側（水入口部７ａ）から上側（水出口部７ｂ）へは水を流通させるものの、その逆向きへは流通させないものとなされており、またユニオン継手用上流側管部８ａの上流端と逆止弁７の水出口部７ｂとは塩化ビニール短管６ｃの対応する各端部を内嵌され接着剤で接続されている。このさい、逆止弁７はケーシングをなす袋ナット状部７ｃを水入口部７ａの雄ネジ箇所から離脱させることで内部が開放されるものとなされている。
【００４７】
第１水平部６Ｂは、塩化ビニール材からなるユニオン継手８の結合部、ユニオン継手用下流側管部８ｂ、該ユニオン継手用下流側管部８ｂの下流端の雄ネジを水入口側接続口９ａの雌ネジに螺着されたスリース弁９、該スリース弁９の水出口側接続口９ｂの雌ネジに下流端の雄ネジを螺着された塩化ビニール材からなる直状結合管１０（図５参照）と、該直状結合管１０の下流端部を上流端受け口１１ａ内に内嵌され接着剤で接続された９０度エルボ１１の上流側半分とで形成されている。このさい、直状結合管１０は市販品ではないため特別に製作される。
【００４８】
上記した各第１水平部６Ｂの下流端からこれを下流側へ延長した２つの下流側吐出管１２、１２が形成されている。これら２つの下流側吐出管１２、１２も、前記した２つの上流側吐出管６、６と同様に、支柱部材２を基準とした逆対称配置となるように設けられている。
【００４９】
各下流側吐出管１２は、前記第１水平部６Ｂの下流端から延長された第２起立部１２Ａ、第２起立部１２Ａの下流端から延長された第２水平部１２Ｂとからなっている。このさい、第２起立部１２Ａは９０度エルボ１１の出口部と、該出口部に上流端部を内嵌され接着剤で接続される塩化ビニール材からなる直状結合管１３と、該直状結合管１３の下流端部を内嵌され接着剤で接続される９０度エルボ１４の入出部とを備えており、また第２水平部１２Ｂは９０度エルボ１４の出口部と、該出口部に上流端部を内嵌され接着剤で接続される塩化ビニール材からなる水平直状管１２ａとを備えている。
【００５０】
このさい、各水中ポンプ３Ａ、３Ｂに対応した第１水平部６Ｂと第２起立部１２Ａと第２水平部１２Ｂとは図１に示すように横向きＵ字形に配列されており、また第１水平部６Ｂはベースプレート１の長辺に平行に且つベースプレート１から外方へ張り出さないように配置されており、また第２水平部１２Ｂはベースプレート１の対角線の真上に配置されている。
【００５１】
２つの下流側吐出管１２、１２はＴ形継手管をなす合流吐出管１５で結合されており、該合流吐出管１５は第２水平部１２Ｂと同様にベースプレート１の対角線の真上に配置されてあって、支柱部材２の略真上箇所に上方へ向かう合流水吐出口部１５ａを有している。該合流水吐出口部１５ａは受け口となされており、図７に示すように該受け口から延長される排水管系統１６の上流端部を内嵌され接着剤で接続されるものとなる。
このさい、各水中ポンプ３Ａ、３Ｂの把手部３ｅの真上及びその近傍に他部材が存在しない形態となされるのであり、またベース脚部５の支持される設置面から合流水吐出口部１５ａの上端までの高さは凡そ７００ｍｍ〜８００ｍｍ程度となされる。
【００５２】
水中ポンプ３Ａ、３Ｂや上流側吐出管６や下流側吐出管１２は、ベースプレート１に対し上方へ移動しないように固定する必要があるのであり、この必要に応じるため、ユニオン継手８よりも下流側をなす第１水平部６Ｂの任意箇所、若しくは、該第１水平部６Ｂを下流側へ延長した下流側吐出管１２の任意箇所の何れか、又は、これら任意箇所の双方を支柱部材２に固定させた構成となす。
【００５３】
図示例では合流吐出管１５が適宜な管固定手段２ｃを介して支柱部材２の上部に支持され固定された状態となされている。このさい、管固定手段１７は水平状の管受け部材ｃ１を水平配置状のＵボルトｃ２を介して支柱部材２に固定させると共に管受け部材ｃ１上に支持された合流吐出管１５を垂直配置状のＵボルトｃ３を介して管受け部材ｃ１に固定させた構成となされている。
【００５４】
各水中ポンプ３Ａ、３Ｂの外側横近傍には支持棒部材１７が結合具を介してその対応する水中ポンプ３Ａ、３Ｂに垂直状に固定されている。そして、一方の水中ポンプ３Ａに固定された支持棒部材１７にはその上下端近傍の２箇所とその長さ略中央箇所のそれぞれに電気スイッチ１８ａ、１８ｂ、１８ｃが高さ位置調整可能に固定されると共に該電気スイッチ１８ａ、１８ｂ、１８ｃのそれぞれからアーム部材１９が延出されており、各アーム部材１９の先端に１つのフロート２０ａ、２０ｂ、２０ｃが固定されると共に各フロート２０ａ、２０ｂ、２０ｃに作用する浮力がアーム部材１９を揺動させることによりその対応する電気スイッチ１８ａ、１８ｂ、１８ｃが断接作動されるものとなされている。他方の水中ポンプ３Ｂに固定された支持棒部材１７にはその上下端近傍の２箇所のそれぞれに電気スイッチ１８ａ、１８ｂ、１８ｃが高さ位置調整可能に固定されると共に該電気スイッチ１８ｄ、１８ｅのそれぞれからアーム部材１９が延出されており、各アーム部材１９の先端に１つのフロート２０ｄ、２０ｅが固定されると共に各フロート２０ｄ、２０ｅに作用する浮力がアーム部材１９を揺動させることによりその対応する電気スイッチ１８ｄ、１８ｅが断接作動されるものとなされている。
上記のように形成された水中ポンプユニットの全体重量は、凡そ３５ｋｇ程度以下となされている。
【００５５】
次に上記した本発明に係る水中ポンプユニットの実際の設置例について図６〜図８を参照して説明する。
ここに、図６は集水枡や前記水中ポンプユニットなどを示してあってＡは集水枡の平面図でＢは集水枡内に前記水中ポンプユニットを設置した状態を示す平面図であり、図７は前記水中ポンプユニットを集水枡内に設置した状態を示してあってＡは図６Ａ中のＡ１−Ａ１部を示す断面図で、Ｂは図６Ａ中のＢ１−Ｂ１部を示す断面図であり、図８は前記水中ポンプユニットやその制御機器を設置した排水システムを示す説明図である。なお、これらの図中、既述の部位には同一符号が付してある。
【００５６】
地下などに設けられた図６に示す集水枡ｄ１の設置場所に本発明に係る水中ポンプユニットを搬送し、集水枡ｄ１のマンホールを覆った蓋ｍを取り外した状態の下で、該水中ポンプユニットをマンホールを通じて吊り降ろすようにする。
【００５７】
このさい、例えば各水中ポンプ３Ａ、３Ｂの把手部３ｅ、３ｅのそれぞれに１ｍ程度の長さの吊りロープを結び付けて、これら吊りロープのそれぞれを２人の作業者のそれぞれが把持して水中ポンプユニットを集水枡ｄ１内に吊り降ろすようにするのであり、これにより水中ポンプユニットは円滑に降下されて、ベース脚部５が集水枡ｄ１内の底面ｄ２である設置面に当接することにより安定的に支持された状態となる。この後、設置面ｄ２上における水中ポンプユニットの水平方向上の正確な位置決めを行う。
【００５８】
次に地上の側溝、下水道又は河川などへの排水可能に形成された塩化ビニール管からなる排水管系統１６を集水枡ｄ１の周壁部の上部からその内方に導入し、塩化ビニール材からなる９０度エルボ１６ａや直状管１６ｂを使用するなどして合流水吐出口部１５ａと連通状に接続するのであり、このさい直状管１６ｂの下端部が合流水吐出口部１５ａに内嵌されて接着剤で接続される。
【００５９】
上記のように排水管系統１６に水中ポンプユニットが接続された状態では水中ポンプユニットは集水枡ｄ１内でその位置を排水管系統１６に保持された状態となるのであり、またベース脚部５のゴム質材５ｂも設置面ｄ２との摩擦作用により水中ポンプユニットの水平移動を阻止するように機能する。したがって、水中ポンプユニットはたとえ作動時においても、その位置を安定的に保持される。
【００６０】
図６及び図７において、２１は集水用配管系統であって、地下などに流入した水を集めて集水枡ｄ１内に流入させるものである。
【００６１】
また図８において、２２は水中ポンプユニット用の制御ボックスであり、２３は電源用ケーブルであり、２４は制御ボックス２２から各水中ポンプ３Ａ、３Ｂに電力を供給するためのケーブルである。各フロート２０ａ〜２０ｅに対応した電気スイッチ１８ａ〜１８ｅは図示しない信号線を介して制御ボックス２２内の回路に接続されている。
【００６２】
また、２５は集水枡ｄ１内に過度に水が溜まったことを検出するために集水枡ｄ１内の特定高さ位置に上下揺動可能に設けられたフロートであり、２６は該フロート２５の作動に関連して断接作動される電気スイッチである。該電気スイッチ２６は信号線２７を介して制御ボックス２２内の回路に接続されている。２８は電気スイッチ２６の断接作動に関連して図示しない警報器に増水警報出力を供給するケーブルである。
【００６３】
次に図６〜図８に示した排水システムの使用例及び各部の作動について説明する。
（ａ）基本的な使用の場合
水中ポンプユニットを集水枡ｄ１内に設置する前に、予め、フロート２０ａに対応した電気スイッチ１８ａの断接作動高さｗＬ５、フロート２０ｄに対応した電気スイッチ１８ｄの断接作動高さｗＬ４、フロート２０ｃに対応した電気スイッチ１８ｃの断接作動高さｗＬ３、フロート２０ｂに対応した電気スイッチ１８ｂの断接作動高さｗＬ２、及び、フロート２０ｅに対応した電気スイッチ１８ｅの断接作動高さｗＬ１がこの順に小さくなるように各フロート２０ａ〜２０ｅ及び電気スイッチ１８ａ〜１８ｅの高さを調整し固定しておく。
また電気スイッチ１８ａ〜１８ｅの断接作動は一回置きに有効となるように回路上で設定しておくのであり、また各上流側吐出管６のスリース弁９は開放しておく。
【００６４】
この状態で、集水枡ｄ１内に水が溜まって、その水面が断接作動高さＷＬ３まで達したとき、フロート２０ｃの上方変位により電気スイッチ１８ｃが断接作動して一方の水中ポンプ３Ａを作動させる。これにより水中ポンプ３Ａはベースプレート１の下面側の水吸引面部３ｄから水を吸引し、水吐出口３ｂ、上流側吐出管６、下流側吐出管１２、合流水吐出口部１５ａ、排水管系統１６を通じて地上の側溝などに放出する。そして、集水枡ｄ１内の水面が断接作動高さＷＬ２まで降下したとき、フロート２０ｂの下方変位により電気スイッチ１８ｂが断接作動し、水中ポンプ３Ａはその作動を停止される。
【００６５】
この後、再び集水枡ｄ１内に水が溜まってその水面が上昇し、断接作動高さＷＬ３に達したとしても今回は電気スイッチ１８ｃの断接作動は回路上で無効となっているため、フロート２０ｃの上方変位に拘わらず水中ポンプ３Ａは作動せず、水面はさらに上昇し、やがて断接作動高さＷＬ４に達し、フロート２０ｄが上方変位され、電気スイッチ１８ｄが断接作動する。これにより他方の水中ポンプ３Ｂが作動し、先の場合に準じて、ベースプレート１の下面側の水吸引面部３ｄから水を吸引し、水吐出口３ｂ、上流側吐出管６、下流側吐出管１２、合流水吐出口部１５ａ、排水管系統１６を通じて地上の側溝などに放出する。そして、集水枡ｄ１内の水面が断接作動高さＷＬ１まで降下したとき、フロート２０ｅの下方変位により電気スイッチ１８ｅが断接作動し、水中ポンプ３Ｂはその作動を停止される。以後は上記作動が集水枡ｄ１内に水が溜まるごとに繰り返される。これにより２つの水中ポンプ３Ａ、３Ｂは交互に作動するものとなって、良好な作動が得られると共に一方のみの消耗が回避される。
【００６６】
このような作動において、集水管系統２１から集水枡ｄ１内への水の流量が大きいときは一方のみの水中ポンプ３Ａ又は３Ｂが作動していても、集水枡ｄ１内の水面が上昇することが生じるが、この場合には水面はやがて断接作動高さＷＬ４又はＷＬ５に達し、フロート２０ｄ又は２０ａの上方変位により他方の水中ポンプ３Ｂ又は３Ａも作動を開始するのであり、これにより、水中ポンプ３Ａ、３Ｂのそれぞれは並列状態で作動し、先の場合に準じて水吸引面部３ｄから水を吸引し先よりも大きな流量で地上の側溝などに放出する。
そして、集水枡ｄ１内の水面が断接作動高さＷＬ２まで降下したとき、フロート２０ｂの下方変位により電気スイッチ１８ｂが断接作動し、一方の水中ポンプ３Ａがその作動を停止され、さらに集水枡ｄ１内の水面が断接作動高さＷＬ１まで降下したとき、フロート２０ｅの下方変位により電気スイッチ１８ｅが断接作動し、他方の水中ポンプ３Ｂもその作動を停止される。
【００６７】
上記のように２つの水中ポンプが交互に作動される場合には、一方の水中ポンプ３Ａ又は３Ｂが作動するときは非作動側の逆止弁７はその水出口側に水中ポンプ３Ａ又は３Ｂの吐出水の正圧が作用するため閉鎖状態となるのであり、したがって水中ポンプ３Ａ又は３Ｂの吐出する水が非作動側の水中ポンプ３Ｂ又は３Ａを通じて集水枡ｄ１内に戻されることは阻止される。
【００６８】
また集水枡ｄ１内に計画値以上の流量で水が流入するときや、水中ポンプ３Ａ、３Ｂが故障したときなどには、集水枡ｄ１内の水面が異常に上昇して電気スイッチ２６の断接作動高さＷＬ６以上に達することがあり、この場合にはフロート２５の上方変位により電気スイッチ２６が断接作動し、これに関連して増水警報出力が制御ボックス２２内の回路からケーブル２８に送り出され、図示しない警報器を作動させる。
なお、各水中ポンプ３Ａ、３Ｂの吐出水の流量を任意な大きさに調整したいときはその対応するスリース弁９の開放度合いを変化させる。
【００６９】
（ｂ）各水中ポンプ３Ａ、３Ｂの作動タイミングを変更する場合
各フロート２０ａ〜２０ｅ及びその対応する電気スイッチ１８ａ〜１８ｅの高さを変更調整することにより電気スイッチ１８ａ〜１８ｅの断接作動高さＷＬ１〜ＷＬ５を変化させる。このさい、フロート２０ａに対応した電気スイッチ１８ａと、フロート２０ｄに対応した電気スイッチ１８ｄとはこれらの電気スイッチ１８ａ、１８ｄの断接作動高さＷＬ５、ＷＬ４を同一高さとなしてもよいのであり、またフロート２０ｂに対応した電気スイッチ１８ｂと、フロート２０ｅに対応した電気スイッチ１８ｅとはこれら断接作動高さＷＬ２、ＷＬ１を同一高さとなしてもよい。
【００７０】
フロート２０ａ〜２０ｅ及び電気スイッチ１８ａ〜１８ｅの断接作動高さＷＬ１〜ＷＬ５の変更作業にさいして、集水枡ｄ１の内面と水中ポンプユニットとの間に変更作業のための十分なスペースが存在するときは、水中ポンプユニットが集水枡ｄ１内に設置された状態のままで該変更作業を実行する。
【００７１】
一方、該変更作業のための十分なスペースが存在しないときは、次のように行うのであって、即ち、該変更作業の対象である任意なフロートスイッチ及び電気スイッチを同体状に支持した状態の水中ポンプ３Ａ及び又は３Ｂを集水枡ｄ１の外方へ取り出し、広い場所でその変更作業を実施し、その後に該水中ポンプ３Ａ、３Ｂを元の状態に復帰させるようにする。
【００７２】
ここで、変更作業の対象である任意なフロートスイッチ及び電気スイッチを同体状に支持した状態の水中ポンプ３Ａ及び又は３Ｂを集水枡ｄ１の外方へ取り出すときは、その対応する側のスリース弁９を閉鎖した後に、その対応する側のユニオン継手８のユニオンナット８ｃをユニオン継手用上流側管部８ａの雄ネジから離脱させて、ユニオン継手用上流側管部８ａとユニオン継手用下流側管部８ｂとの結合を分離した状態となす。これにより水吐出口３ｂから延出された上流側吐出管６の第１起立部６Ａの固定された状態の水中ポンプユニットが支障なく真上に移動され得る状態となる。この後、変更作業対象に係る水中ポンプ３Ａ、３Ｂの把手部３ｄに吊りロープを掛け止めるなどして該吊りロープにより引き上げるようにするのであり、これにより変更作業対象の水中ポンプ３Ａ、３Ｂ及びこれと同体状に支持された支持棒部材１７、フロート２０ａ〜２０ｅ及び電気スイッチ１８ａ〜１８ｅが一体状となってベースプレート１から離脱され、続いて水中ポンプ３Ａ、３Ｂなどを必要に応じ支柱部材２に接触させるなどして案内させることで安定的に上昇され集水枡ｄ１のマンホールを通じてその外方へ円滑に取り出されるのである。
【００７３】
一方、こうして取り出された後の、フロートスイッチ及び電気スイッチを同体状に支持した状態の水中ポンプ３Ａ、３Ｂを集水枡ｄ１の内方へ降下させ元状態に復帰させるさいは、これらを取り出すときの逆の手順を実行する。この場合において、変更作業対象に係る水中ポンプ３Ａ、３Ｂなどを降下させるさいにも、必要に応じ支柱部材２に水中ポンプ３Ａ、３Ｂなどを接触させるなどにより案内させることで安定的に降下させることができ、これにより作業者は水中ポンプ３Ａ、３Ｂの下部をベースプレート１のポンプ保持用透孔４に円滑且つ的確に嵌合させることができる。またベースプレート１が濁った水中にあって上方から見えにくいときでも、支柱部材２はポンプ保持用透孔４の存在位置の目安となって、作業者は水中ポンプ３Ａ、３Ｂの下部をベースプレート１のポンプ保持用透孔４に円滑且つ的確に嵌合させることができる。
なお、集水枡ｄ１の外方へ何れか一方の水中ポンプ３Ａ又は３Ｂを取り出したときでも、スリース弁９を閉鎖しておくことにより、他方の水中ポンプ３Ｂ又は３Ａが使用可能状態を維持される。
【００７４】
（ｃ）制御ボックス２２の回路上のスイッチ操作により水中ポンプ３Ａ、３Ｂの何れか一方のみを有効に作動させるように使用することも可能である。
【００７５】
（ｄ）各水中ポンプ３Ａ、３Ｂ、逆止弁７、フロート２０ａ〜２０ｅ、電気スイッチ１８ａ〜１８ｅなどを保守、修理する場合にも、各水中ポンプ３Ａ、３Ｂの作動タイミングを変更する場合に準じて、保守及び修理を実施することができる。
【図面の簡単な説明】
【００７６】
【図１】本発明に係る水中ポンプユニットの正面図である。
【図２】前記水中ポンプユニットの側面図である。
【図３】前記水中ポンプユニットの平面図である。
【図４】前記水中ポンプユニットの底面図である。
【図５】前記水中ポンプユニットで使用される直状結合管などを示す側面図である。
【図６】集水枡や前記水中ポンプユニットなどを示してあってＡは集水枡の平面図でＢは集水枡内に前記水中ポンプユニットを設置した状態を示す平面図である。
【図７】前記水中ポンプユニットを集水枡内に設置した状態を示してあってＡは図６Ａ中のＡ１−Ａ１部を示す断面図で、Ｂは図６Ａ中のＢ１−Ｂ１部を示す断面図である。
【図８】前記水中ポンプユニットやその制御機器を設置した排水システムを示す説明図である。
【符号の説明】
【００７７】
１  ベースプレート
２  支柱部材
３Ａ  水中ポンプ
３Ｂ  水中ポンプ
３ｂ  水吐出口
３ｅ把手部
４  ポンプ保持用透孔
５  ベース脚部
５ｂ  ゴム質材
６Ａ  第１起立部
６Ｂ  第１水平部
６  上流側吐出管
７  逆止弁
８  ユニオン継手
９  スリース弁
１０  直状結合管
１１  ９０度エルボ（吐出管部材）
１２  下流側吐出管（吐出管系統）
１５  合流吐出管（吐出管系統）
１２  下流側吐出管
１２Ａ  第２起立部
１２Ｂ  第２水平部
１５ａ  合流水吐出口
ｄ２  設置面
【図１】
2008231724.tif 000003
【図２】
2008231724.tif 000004
【図３】
2008231724.tif 000005
【図４】
2008231724.tif 000006
【図５】
2008231724.tif 000007
【図６】
2008231724.tif 000008
【図７】
2008231724.tif 000009
【図８】
2008231724.tif 000010